(57)【要約】  【課題】本発明は、ＲＦＩＤラベルシート等に関し、外部力の影響に対する保護強化を図り、物品表面に対して表示情報の視認性を確保させつつＲＦＩＤインレットを離隔させる新たな形態とさせることを目的とする。  【解決手段】ラベル上紙１２がインレット貼付領域１２Ａ、空間底部形成領域１２Ｂ、空間形成インレット保護領域１２Ｃ、物品貼着領域１２Ｄ、情報表示領域１２Ｅが一体であり、当該インレット貼付領域１２Ａ、空間底部形成領域１２Ｂ、物品貼着領域１２Ｄの同一裏面に粘着剤層１５Ａ，１５Ｂが設けられ、空間形成インレット保護領域１２Ｃを折り曲げて立設させたインレット貼付領域１２Ａに内部空間２１を形成させつつ貼付させて、内部空間２１とは別に表示情報１７が形成された情報表示領域１２Ｅを一体とさせる構成とする。  【選択図】  図２
2010117960.tif 000002
【特許請求の範囲】
【請求項１】
物品に貼付されることで当該物品に関する情報について非接触でリーダライタと通信可能とされるＲＦＩＤラベルシートであって、
基材上にアンテナ部及びＩＣチップで構成されるＩＣモジュールが形成されるＲＦＩＤインレットを備えるラベル上紙と、
前記ラベル上紙における裏面側の一部に設けられる粘着剤層と、
を少なくとも備え、
上記ラベル上紙には、一端側で裏面に前記ＲＦＩＤインレットを保持して前記粘着剤層が設けられた領域であり、立設させるためのインレット貼付領域と、当該インレット貼付領域に隣接して同じ裏面に前記粘着剤層が設けられる空間底部形成領域と、当該空間底部形成領域に隣接して上記立設させたインレット貼付領域に対して当該空間底部形成領域を含めた所定形状の内部空間を形成させて折り曲げ、その端部を当該立設させたインレット貼付領域におけるＲＦＩＤインレット側の上記粘着剤層に貼付させるための空間形成インレット保護領域と、当該空間形成インレット保護領域に隣接して同じ裏面に前記物品に貼着させるための前記粘着剤層が設けられ、上記空間底部形成領域側に折り曲げられて上面が当該空間底部形成領域の粘着剤層に接着されるための物品貼着領域と、当該物品貼着領域に隣接して一体で設けられ、所定情報を表示させる情報表示領域と、が形成されることを特徴とするＲＦＩＤラベルシート。
【請求項２】
請求項１に記載のＲＦＩＤラベルシートであって、前記表示領域に、前記インレット貼付領域、前記空間底部形成領域及び物品貼着領域に設けられた前記粘着剤層と同一面に粘着剤層が設けられることを特徴とするＲＦＩＤラベルシート。
【請求項３】
請求項１又は２記載のＲＦＩＤラベルシートから作製されるＲＦＩＤラベルであって、少なくとも、前記ＲＦＩＤインレットを立設状態とさせ、当該ＲＦＩＤインレットが、前記ラベル上紙の前記インレット貼付領域と前記所定形状の内部空間を形成させて折り曲げた前記空間形成インレット保護領域の一部とで挾持され、当該内部空間とは別に所定の情報が表示された前記表示領域が一体とされることを特徴とするＲＦＩＤラベル。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）を物品に貼り付けてリーダライタと非接触で通信を行わせるためのＲＦＩＤラベルシート及びＲＦＩＤラベルに関する。
【背景技術】
【０００２】
近年、ＲＦＩＤと称される非接触型ＩＣメディアに関する技術が急速に進歩してきており、搭載されるＩＣチップが小型かつ安価になってきている。このＲＦＩＤは、基材にアンテナ部となるアンテナパターンを形成してＩＣチップを搭載したインレットと称されるものを他のベース基材に貼着されることなどにより作製され、当該他のベース基材に粘着剤が塗布されることでＲＦＩＤラベルとされる。このようなＲＦＩＤラベルは、物品に貼り付けられ、リーダライタとの非接触の通信により物品管理等に利用されるが、基本的に貼り付けられる物品の表面が金属等の場合の通信障害を回避させる必要があり、一方で使用時の利便性が望まれる。
【０００３】
従来、ＲＦＩＤラベルを通信障害の生じ易い金属等の物品に貼付させる場合、ＲＦＩＤインレットを金属表面より離隔すればするほど通信障害を回避させ易いことが知られており、そのためのＲＦＩＤラベルが種々提案されている。例えば、ＲＦＩＤラベルを金属表面物品に貼付させる際に、ＲＦＩＤインレットの部分を単独で折り立てることや（特許文献１）、ＲＦＩＤインレットの部分と物品の金属表面との間に空間領域を形成させるように折った形状とさせることや（特許文献２，３）、また、ＲＦＩＤラベルシートを中空四角柱に折り込んで立設させること（特許文献４）が提案されている。
【０００４】
【特許文献１】特開２００７−１２２５４２号公報
【特許文献２】特開２００７−１６４３９９号公報
【特許文献３】特開２００７−２６４８６８号公報
【特許文献４】特開２００７−１７２３６９号公報
【発明の開示】
【発明が解決しようとする課題】
【０００５】
しかしながら、特許文献１〜４のようなＲＦＩＤラベルは、ＲＦＩＤインレットを単に１枚分のラベル上紙に貼付されただけのものであり、外部力でＩＣチップに衝撃を受けやすいという問題があり、貼着させる物品によっては物品内容等を目視で確認する必要性から表示情報の視認性を確保させつつ上記ＩＣチップの外部力による保護を強化することが上記特許文献１〜４のＲＦＩＤラベルでは考慮されていない。
【０００６】
そこで、本発明は上記課題に鑑みなされたもので、外部力の影響に対する保護強化を図り、物品表面に対して表示情報の視認性を確保させつつＲＦＩＤインレットを離隔させる新たな形態とさせるＲＦＩＤラベルシート及びＲＦＩＤラベルを提供することを目的とする。
【課題を解決するための手段】
【０００７】
上記課題を解決するために、請求項１の発明では、物品に貼付されることで当該物品に関する情報について非接触でリーダライタと通信可能とされるＲＦＩＤラベルシートであって、基材上にアンテナ部及びＩＣチップで構成されるＩＣモジュールが形成されるＲＦＩＤインレットを備えるラベル上紙と、前記ラベル上紙における裏面側の一部に設けられる粘着剤層と、を少なくとも備え、上記ラベル上紙には、一端側で裏面に前記ＲＦＩＤインレットを保持して前記粘着剤層が設けられた領域であり、立設させるためのインレット貼付領域と、当該インレット貼付領域に隣接して同じ裏面に前記粘着剤層が設けられる空間底部形成領域と、当該空間底部形成領域に隣接して上記立設させたインレット貼付領域に対して当該空間底部形成領域を含めた所定形状の内部空間を形成させて折り曲げ、その端部を当該立設させたインレット貼付領域におけるＲＦＩＤインレット側の上記粘着剤層に貼付させるための空間形成インレット保護領域と、当該空間形成インレット保護領域に隣接して同じ裏面に前記物品に貼着させるための前記粘着剤層が設けられ、上記空間底部形成領域側に折り曲げられて上面が当該空間底部形成領域の粘着剤層に接着されるための物品貼着領域と、当該物品貼着領域に隣接して一体で設けられ、所定情報を表示させる情報表示領域と、が形成される構成とする。
【０００８】
請求項２の発明では、請求項１に記載のＲＦＩＤラベルシートであって、前記表示領域に、前記インレット貼付領域、前記空間底部形成領域及び物品貼着領域に設けられた前記粘着剤層と同一面に粘着剤層が設けられる構成である。
【０００９】
請求項３の発明では、請求項１又は２記載のＲＦＩＤラベルシートから作製されるＲＦＩＤラベルであって、少なくとも、前記ＲＦＩＤインレットを立設状態とさせ、当該ＲＦＩＤインレットが、前記ラベル上紙の前記インレット貼付領域と前記所定形状の内部空間を形成させて折り曲げた前記空間形成インレット保護領域の一部とで挾持され、当該内部空間とは別に所定の情報が表示された前記表示領域が一体とされる構成とする。
【発明の効果】
【００１０】
本発明によれば、ＲＦＩＤラベルシートにおけるラベル上紙に、一端側で裏面にＲＦＩＤインレットを保持させて粘着剤層が設けられた立設させるためのインレット貼付領域と、インレット貼付領域に隣接して同じ裏面に粘着剤層が設けられる空間底部形成領域と、空間底部形成領域に隣接して上記立設させたインレット貼付領域に対して所定形状の内部空間を形成させて折り曲げ、その端部を当該立設させたＲＦＩＤインレット側の粘着剤層に貼付させるための空間形成インレット保護領域と、空間形成インレット保護領域に隣接して同じ裏面に物品貼着のための粘着剤層が設けられて上面が空間底部形成領域の粘着剤層に接着されるための物品貼着領域と、物品貼着領域に隣接して一体で設けられ、所定情報を表示させる情報表示領域とを形成させる構成とし、また、ＲＦＩＤラベルシートから作製されるＲＦＩＤラベルを、少なくとも、ＲＦＩＤインレットを立設状態とさせ、当該ＲＦＩＤインレットがラベル上紙のインレット貼付領域と所定形状の内部空間を形成させて折り曲げた空間形成インレット保護領域の一部とで挾持された形態で内部空間とは別に所定の情報が表示された表示領域を一体とさせる構成とすることにより、基本的にＲＦＩＤインレットを立設させて物品に貼着させることで物品表面と離隔させる形態とさせることができると共に、ＲＦＩＤインレットの外部力の影響に対する保護を強化させつつ、物品表面に対して表示情報の視認性を確保させる新たな形態とさせることができるものである。
【発明を実施するための最良の形態】
【００１１】
以下、本発明の最良の実施形態を図により説明する。本発明では、物品への貼付以前の形態をＲＦＩＤラベルシートと称し、物品に貼付させるための形態をＲＦＩＤラベルと称する。
【００１２】
図１に、本発明に係るＲＦＩＤラベルシートの実施形態の構成図を示す。図１（Ａ）、（Ｂ）において、ＲＦＩＤラベルシート１１は、ラベル上紙１２がＲＦＩＤインレット１３を保持する。ＲＦＩＤインレット１３は、アンテナ部及びＩＣチップで構成されるＩＣモジュールが形成されたもので従前のものと同様のものである。例えば、ＲＦＩＤインレット１３を、基材にアンテナ部を導電性インキで印刷により形成し、当該アンテナ部の端部にＩＣチップを実装させ、他の基材を貼り付けることによってＲＦＩＤインレット１３を備えるラベル上紙１２としたものであるが、上記他の基材を貼り付けない形態であってもよい。当該ラベル上紙１２は、その材質として紙類の他にフィルム材を含む概念である。
【００１３】
また、上記ラベル上紙１２は、インレット貼付領域１２Ａ、空間底部形成領域１２Ｂ、空間形成インレット保護領域１２Ｃ及び物品貼着領域１２Ｄがそれぞれ第１折り線１４Ａ、第２折り線１４Ｂ及び第３折り線で区分けられ、当該物品貼着領域１２Ｄに隣接して一体で情報表示領域１２Ｅが設けられる。図１（Ｂ）では、物品貼着領域１２Ｄと情報表示領域１２Ｅとの区分けを示すために破線を示しているが、実際的には特に境界についての視覚的なものはない。
【００１４】
上記インレット貼付領域１２Ａは、当該ラベル上紙１２の一端側で裏面に粘着剤が塗布された粘着剤層１５Ａが設けられてその上にＲＦＩＤインレット１３が貼着されて保持され、第１折り線１４Ａにより区分けされた領域であり、後に当該第１折り線１４Ａで折り曲げられて立設させるためのものである。実際的には、ＲＦＩＤインレット１３は最初後述の剥離紙１６上に粘着剤で貼付され、後にラベル上１２に設けられた粘着剤層１５Ａに貼着されるもので、当該剥離紙１６が剥離されたときには粘着剤層１５Ａに貼付された形となる。
【００１５】
上記空間底部形成領域１２Ｂは、当該インレット貼付領域１２Ａに隣接して同じ裏面に粘着剤層１５Ａが設けられたもので、後に形成される内部空間の底部となる。また、粘着剤層１５Ａは後に物品貼着領域１２Ｄの上面を接着させる。
【００１６】
上記空間形成インレット保護領域１２Ｃは、上記空間底部形成領域１２Ｂに隣接して第２折り線１４Ｂと第３折り線１４Ｃとで区分けされ、上記第１折り線１４Ａで立設させたインレット貼付領域１２Ａに対して当該空間底部形成領域１２Ｂを含んだ所定形状の内部空間を形成させて折り曲げ（図２で説明する）、その端部を当該立設させたインレット貼付領域１２ＡにおけるＲＦＩＤインレット１３側の粘着剤層１５Ａに貼付させるためのものである。
【００１７】
上記物品貼着領域１２Ｄは、当該空間形成インレット保護領域１２Ｃに隣接して第３折り線１４Ｃで区分けされ、同じ裏面に、物品に貼着させるための粘着剤層１５Ｂが当該インレット貼付領域１２Ａ及び空間底部形成領域１２Ｂと同一面で、例えば同一工程で粘着剤が塗布されることで設けられ、少なくとも剥離紙１６が剥離された後に、空間底部形成領域１２Ｂ側に折り曲げられて上面が当該空間底部形成領域１２Ｂの粘着剤層１５Ａに接着される。上記第１折り線１４Ａ、第２折り線１４Ｂ及び第３折り線１４Ｃは、例えばミシン線、レーザ光によるハーフカット線により形成される。
【００１８】
上記情報表示領域１２Ｅは、物品貼着領域１２Ｃに隣接して図１（Ｂ）の破線を目安として区分けされて一体で設けられる。すなわち、上記物品貼着領域１２Ｄの上面が空間底部形成領域１２Ｂの粘着剤層１５Ａに接着されたときの、当該空間底部領域１２Ｂ側に接着されずに延出した部分が情報表示領域１２Ｅとなる。その上面に所定情報１７を例えば印刷により表示されるものである。なお、当該情報表示領域１２Ｅの裏面に、上記物品貼着領域１２Ｄの裏面に設けられた粘着剤層１５Ｂと一体的に粘着剤層を設けて、共に物品に対して貼着させることとしてもよい。
【００１９】
そして、インレット貼付領域１２Ａから空間底部形成領域１２Ｂ、空間形成インレット保護領域１２Ｃを含めた物品貼着領域１２Ｄまでの裏面における当該インレット貼付領域１２Ａ、空間底部形成領域１２Ｂ及び物品貼着領域１２Ｄに設けられた粘着剤層１５Ａ，１５Ｂに剥離紙１６が設けられる。当該剥離紙１６としては、剥離剤層が塗布された紙類やフィルム材で形成される。
【００２０】
そこで、図２に、図１のＲＦＩＤラベルシートを物品に貼付させる形態のＲＦＩＤラベルの説明図を示す。まず、図２（Ａ）に示すように、ＲＦＩＤラベルシート１１のラベル上紙１２に形成されたインレット貼付領域１２Ａを、剥離紙１６より剥離させて第１折り線１４Ａで立設させ、その後剥離紙１６を剥離させる。そうすると、ＲＦＩＤインレット１３が保持された面、空間底部形成領域１２Ｂの裏面及び物品貼着領域１２Ｄの裏面の粘着剤層１５Ａ，１５Ｂが設けられた面が表出される。
【００２１】
そして、図２（Ｂ）、（Ｃ）に示すように、ラベル上紙１２における空間形成インレット保護領域１２Ｃを、第２折り線１４Ｂで空間底部形成領域１２Ｂを含めて例えば湾曲形状の内部空間２１を形成させながら折り曲げてその端部を当該立設させたインレット貼付領域１２ＡにおけるＲＦＩＤインレット１３側の粘着剤層１５Ａに貼付させ、続いて第３折り線１４Ｃで物品貼着領域１２Ｄを空間底部形成領域１２Ｂ側に折り曲げて上面を当該空間底部形成領域１２Ｂの粘着剤層１５Ａに接着させる。
【００２２】
これによって、ＲＦＩＤインレット１３を立設状態とさせ、当該ＲＦＩＤインレット１３が、ラベル上紙１２のインレット貼付領域１２Ａと湾曲形状の内部空間を形成させて折り曲げた空間形成インレット保護領域１２Ｃの一部（インレット貼付領域１２Ａに貼付させた部分）とで挾持された形態とされると共に、内部空間２１とは別に所定の情報１７が表示された情報表示領域１２Ｅを一体とさせることで、ＲＦＩＤラベル１１Ａとなるものである。
【００２３】
そして、当該ＲＦＩＤラベル１１Ａを、金属表面等の物品（図示せず）に、ラベル上紙１２の物品貼着領域１２Ｄの裏面で表出された粘着剤層１５Ｂにより貼付させることによって、ＲＦＩＤインレット１３を立設させた形態で、情報表示領域１２Ｅを一体的として情報表示させるものである。
【００２４】
このように、基本的にＲＦＩＤインレット１３を立設させて物品に貼着させることで物品表面と離隔させることができ、ＲＦＩＤインレット１３をラベル上紙１２のインレット貼付領域１２Ａと空間形成インレット保護領域１２Ｃの一部とで挾持された形態とさせ、内部空間２１とは別に所定の情報１７が表示された情報表示領域１２Ｅを一体とさせることで、ＲＦＩＤインレット１３の外部力の影響に対する保護を強化させつつ、物品表面に対して表示情報１７の視認性を確保させる新たな形態とさせることができるものである。
【００２５】
次に、図３及び図４に、本発明に係るＲＦＩＤラベルシートにおける実施形態の他の構成図を示す。図３（Ａ）、（Ｂ）において、ＲＦＩＤラベルシート１１におけるラベル上紙１２の空間形成インレット保護領域１２Ｃに第４折り線１４Ｄを設けて空間領域部１２Ｃ１と保護領域部１２Ｃ２としたもので、他の構成は図１と同様である。
【００２６】
このようなＲＦＩＤラベルシート１１において、図３（Ｃ）に示すように、インレット貼付領域１２Ａを、剥離紙１６より剥離させて第１折り線１４Ａで立設させ、剥離紙１６を剥離させた後に、ラベル上紙１２における空間形成インレット保護領域１２Ｃの空間領域部１２Ｃ１を、第２折り線１４Ｂで折り曲げ、さらに保護領域部１２Ｃ２を第４折り線
１４Ｄで折り曲げて空間底部形成領域１２Ｂとで三角形状の内部空間２１を形成させながらその端部を当該立設させたインレット貼付領域１２ＡにおけるＲＦＩＤインレット１３側の粘着剤層１５Ａに貼付させる。
【００２７】
続いて、第３折り線１４Ｃで物品貼着領域１２Ｄを空間底部形成領域１２Ｂ側に折り曲げてその上面を当該空間底部形成領域１２Ｂの粘着剤層１５Ａに接着させることで、ＲＦＩＤインレット１３を立設状態とさせ、当該ＲＦＩＤインレット１３が、ラベル上紙１２のインレット貼付領域１２Ａと三角形状の内部空間２１を形成させて折り曲げた空間形成インレット保護領域１２Ｃの一部（インレット貼付領域１２Ａに貼付させた部分）とで挾持された形態とさせると共に、内部空間２１とは別に所定の情報１７が表示された情報表示領域１２Ｅを一体とさせることで、ＲＦＩＤラベル１１Ａとさせるものである。
【００２８】
そして、このようなＲＦＩＤラベル１１Ａを金属表面等の物品（図示せず）に、ラベル上紙１２の物品貼着領域１２Ｄの裏面で表出された粘着剤層１５Ｂにより貼付させることは上記同様である。
【００２９】
また、図４（Ａ）、（Ｂ）において、ＲＦＩＤラベルシート１１におけるラベル上紙１２の空間形成インレット保護領域１２Ｃに第４折り線１４Ｄ及び第５折り線１４Ｅを設けて第１空間領域部１２Ｃ１、第２空間領域部１２Ｃ３、保護領域部１２Ｃ２としたものである。
【００３０】
このようなＲＦＩＤラベルシート１１において、図４（Ｃ）に示すように、インレット貼付領域１２Ａを、剥離紙１６より剥離させて第１折り線１４Ａで立設させ、剥離紙１６を剥離させた後に、ラベル上紙１２における空間形成インレット保護領域１２Ｃの第１空間領域部１２Ｃ１を第２折り線１４Ｂで折り曲げ、また第２空間領域部１２Ｃ３を第４折り線１４Ｄで折り曲げ、さらに保護領域部１２Ｃ２を第５折り線１４Ｅで折り曲げて空間底部形成領域１２Ｂを含んだ四角形状の内部空間２１を形成させながらその端部を当該立設させたインレット貼付領域１２ＡにおけるＲＦＩＤインレット１３側の粘着剤層１５Ａに貼付させる。
【００３１】
続いて、第３折り線１４Ｃで物品貼着領域１２Ｄを空間底部形成領域１２Ｂ側に折り曲げてその上面を当該空間底部形成領域１２Ｂの粘着剤層１５Ａに接着させることで、ＲＦＩＤインレット１３を立設状態とさせ、当該ＲＦＩＤインレット１３が、ラベル上紙１２のインレット貼付領域１２Ａと四角形状の内部空間２１を形成させて折り曲げた空間形成インレット保護領域１２Ｃの一部（インレット貼付領域１２Ａに貼付させた部分）とで挾持された形態とさせると共に、内部空間２１とは別に所定の情報１７が表示された情報表示領域１２Ｅを一体とさせることで、ＲＦＩＤラベル１１Ａとさせるものである。
【００３２】
そして、このようなＲＦＩＤラベル１１Ａを金属表面等の物品（図示せず）に、ラベル上紙１２の物品貼着領域１２Ｄの裏面で表出された粘着剤層１５Ｂにより貼付させることは上記同様である。
【００３３】
図３及び図４の形態によっても、ＲＦＩＤインレット１３を立設させて物品に貼着させることで物品表面と離隔させることができ、ＲＦＩＤインレット１３をラベル上紙１２のインレット貼付領域１２Ａと空間形成インレット保護領域１２Ｃの一部とで挾持された形態とさせ、内部空間２１とは別に所定の情報１７が表示された情報表示領域１２Ｅを一体とさせることで、上記同様に、ＲＦＩＤインレット１３の外部力の影響に対する保護を強化させつつ、物品表面に対して表示情報１７の視認性を確保させる新たな形態とさせることができるものである。
【００３４】
なお、上記実施形態においては、内部空間２１を湾曲形状、三角形状、四角形状とした場合を示したが、それら形状に限らず、上記インレット貼付領域１２Ａを立設させるための空間領域が形成されれば足りるものである。
【産業上の利用可能性】
【００３５】
本発明のＲＦＩＤラベルシート及びＲＦＩＤラベルは、物品管理等のために物品情報が担持されるラベルの製造、使用に利用可能である。
【図面の簡単な説明】
【００３６】
【図１】本発明に係るＲＦＩＤラベルシートの実施形態の構成図である。
【図２】図１のＲＦＩＤラベルシートを物品に貼付させる形態のＲＦＩＤラベルの説明図である。
【図３】本発明に係るＲＦＩＤラベルシートにおける実施形態の他の構成図（１）である。
【図４】本発明に係るＲＦＩＤラベルシートにおける実施形態の他の構成図（２）である。
【符号の説明】
【００３７】
１１            ＲＦＩＤラベルシート
１１Ａ          ＲＦＩＤラベル
１２            ラベル上紙
１２Ａ          インレット貼付領域
１２Ｂ          空間底部形成領域
１２Ｃ          空間形成インレット保護領域
１２Ｄ          物品貼着領域
１２Ｅ          情報表示領域
１３            ＲＦＩＤインレット
１４            折り線
１５            粘着剤層
１６            剥離紙
１７            表示情報
２１            内部空間
【図１】
2010117960.tif 000003
【図２】
2010117960.tif 000004
【図３】
2010117960.tif 000005
【図４】
2010117960.tif 000006